(57)【要約】  本発明は、容器のうちの少なくとも１つはカプセル（１０３）であり、少なくとも１つの別の容器はノズル、好ましくはポンプノズルを含むポット（１１）であり、この容器のうちの少なくとも１つは識別コードを含む、それぞれの容器に収容された少なくとも２つの成分を混合することによって、カスタマイズされた製品、好ましくは、カスタマイズされた化粧品を製造するための装置に関するものであり、この装置は、例えば携帯電話やタブレットでカスタマイズされたデータを収集するためのインターフェースを含む。本発明はまた、カスタマイズされたユーザデータを使用して、成分を均質に混合することによってカスタマイズされた化粧品を製造するための方法にも関するものである。【選択図】図１０
2019508189.tif 000002
【特許請求の範囲】
【請求項１】
それぞれの容器に入れられた少なくとも２つの成分の混合によって、カスタム製品、好ましくはカスタム化粧品を製造するための装置であって、少なくとも１つの成分がカプセル（１０３）に収容された活性成分であり、少なくとも１つの成分が、好ましくはノズルポンプ（７８）を含むポット（１１）内のベース成分であり、前記容器のうちの少なくとも１つは識別コードを保持している、装置において、
混合装置（５１）と、
ポット（１１）に収容された少なくとも１つのベース成分の選択計量装置（４４）と、
カプセル（１０３）内の少なくとも１つの活性成分の選択装置（１０）と、
前記識別コードの検出手段（１２）と、
ユーザが、好ましくは所定のデータベースの中から選択された、そのパーソナル化データを指定することを可能にする前記ユーザ（Ｕｔ）との情報伝達のためのパーソナル化データ収集のインターフェース（Ｉｎ）と、
カスタム製品が含むべき少なくとも１つの、好ましくはすべての成分を決定するために、および／または前記パーソナル化データに従って前記１または複数の成分の量を計算するために、前記カスタム製品を製造するインストラクションを自動的に規定するように前記パーソナル化データを処理するアルゴリズムを含むデータ処理装置と、
を含む、装置。
【請求項２】
前記インターフェースと前記データ処理装置とは、前記パーソナル化データおよび／または前記カスタム製品の前記製造のためのインストラクションを格納するメモリを含む制御ユニット内にあることを特徴とする、請求項１に記載の装置。
【請求項３】
前記制御ユニットは、携帯電話、タッチパッド、タッチスクリーン時計またはコンピュータの中から選択されることを特徴とする、請求項２に記載の装置。
【請求項４】
カスタム製品製造の前記インストラクションを回収し、前記成分および／または前記成分の量に関する前記インストラクションを、ポット（１１）内に収容された少なくとも１つのベース成分の前記選択計量装置（４４）に自動的に伝える製造インストラクション装置の処理を含むことを特徴とする、前記請求項のいずれかに記載の装置。
【請求項５】
前記カスタム製品は化粧品であることを特徴とする、請求項１から３のいずれか１項に記載の装置。
【請求項６】
前記パーソナル化データは、ユーザの年齢、ユーザの性別、ユーザの１日または１週間の運動時間数、ユーザの１晩の睡眠時間、ユーザが居住する環境の温度、ユーザが居住する環境の湿度、ユーザが居住する環境汚染の割合、および／またはユーザの肌の特性を含むことを特徴とする、請求項５に記載の装置。
【請求項７】
ユーザのためのカスタム化粧品の製造方法であって、前記方法は、請求項１から６のいずれか１項に記載の装置を使用し、
ａ．パーソナル化データ収集のインターフェースによって前記ユーザのパーソナル化データを収集する工程と；
ｂ．カスタム製品の成分、好ましくは活性成分および／またはベース成分を自動的に規定し、各成分の数量を工程ａ）で収集されたパーソナル化データの関数として計算するアルゴリズムで前記パーソナル化データを処理する工程と；
ｃ．カスタム製品配合を前記ユーザに提供する工程と；
ｄ．オプションで、カスタム製品配合の前記提案を、好ましくはインターネットを介して接続された自動化カスタム製品製造装置に送信する工程と；
ｅ．工程ｂ）で規定された前記配合の各成分を、混合装置に輸送するために前記成分の容器からサンプリングする工程と；
ｆ．前記成分を前記混合装置で混合する工程と；
ｇ．ユーザのための前記カスタム化粧品を取得する工程と、
を含む、方法。
【請求項８】
前記カスタム製品配合の前記１または複数の活性成分および前記活性成分の量は、前記選択装置（１０）に挿入すべき、カプセル（１０３）の数および前記カプセル（１０３）が収容する前記成分によるカプセル（１０３）のタイプによって規定されることを特徴とする、請求項７に記載の方法。
【請求項９】
前記カスタム製品配合の１または複数のベース成分の用量は、ポット（１１）のノズルポンプ（７８）の選択計量装置（４４）によって送り出される衝撃回数によって規定されることを特徴とする、請求項７または８に記載の方法。
【請求項１０】
前記ユーザのためのカスタム製品配合の提供の前記工程ｃ）は、前記ユーザに、活性成分のどの１または複数のカプセル（１０３）を工程ｅ）で前記混合装置（５１）に導入すべきか指示することからなり、前記カプセルは識別コード、好ましくはカラー識別コードを有し、前記カラー識別コードが検出手段（１２）によって検出されると、前記工程ｅ）に対応する前記ポット（１１）にどのベース成分サンプルが入れられるか、およびその量を、自動的に前記選択計量装置（４４）に伝えることを特徴とする、請求項７〜９のいずれか１項に記載の装置。
【発明の詳細な説明】
【技術分野】
【０００１】
本発明は、それぞれの容器に収容された少なくとも２つの成分の混合によって、カスタム製品、好ましくはカスタム化粧品を製造するための装置であって、複数の容器のうちの少なくとも１つがカプセル（１０３）であり、少なくとも１つの別の容器がノズルを含むポット（１１）であり、前記容器のうちの少なくとも１つは識別コードを保持している装置に関し、前記装置は、例えば携帯電話やタッチパッドに、パーソナル化データ収集インターフェースを含む。本発明はまた、ユーザの個人データから、成分の均質な混合によってカスタム化粧品を製造するための方法にも関する。
【発明の概要】
【０００２】
本発明は、まず、それぞれの容器に配置された少なくとも２つの成分の混合によって、カスタム製品、好ましくはカスタム化粧品を製造するための装置であって、少なくとも１つの成分がカプセル（１０３）に収容された活性成分であり、少なくとも１つの成分が、好ましくはノズルポンプ（７８）を含むポット（１１）内のベース成分であり、前記複数の容器のうちの少なくとも１つは識別コードを保持している、装置において、当該装置は、
混合装置（５１）と、
ポット（１１）に収容された少なくとも１つのベース成分の選択計量装置（４４）と、
カプセル（１０３）内の少なくとも１つの活性成分の選択装置（１０）と、
前記識別コードの検出手段（１２）と、
ユーザが、好ましくは所定のデータベースの中から選択された、そのパーソナル化データを指定することを可能にする、ユーザ（Ｕｔ）との情報伝達（対話）のためのパーソナル化データ収集のインターフェース（Ｉｎ）と、
カスタム製品が含むべき少なくとも１つの、好ましくはすべての成分を決定するために、および／または前記パーソナル化データに従って前記（１または複数の）成分の量を計算するために、カスタム製品を製造するインストラクション（命令）を自動的に規定するように前記パーソナル化データを処理するアルゴリズムを含むデータ処理装置と
を含む装置に関するものである。
【０００３】
本発明による好ましい実施形態では、インターフェースとデータ処理装置とは、前記パーソナル化データおよび／またはカスタム製品の製造のためのインストラクションを格納するメモリを含む制御ユニット内にある。
【０００４】
好ましくは、本発明によれば、制御ユニットは、携帯電話、好ましくはインターネットに接続されたタッチスクリーン時計、タッチパッドまたはコンピュータの中から選択される。
【０００５】
好ましくは、本発明によれば、製造装置は、カスタム製品製造の前記インストラクションを回収し、成分および／または成分の量に関する前記インストラクションを、ポット（１１）内の少なくとも１つのベース成分の選択計量装置（４４）に自動的に伝える製造インストラクション装置の処理を含む。
【０００６】
好ましくは、本発明によれば、カスタム製品は化粧品である。
【０００７】
好ましくは、成分は化粧品成分である。
【０００８】
前記少なくとも２つの化粧品成分は、より好ましくは、
少なくとも１つのベース成分と、
少なくとも１つ、２つ、３つ、４つ、５つ、または少なくとも６つの活性成分と、
を含む。
【０００９】
成分とは、本発明によれば、１センチポアズまたは１ｍＰａ・ｓ（例えば、水など）から５０００００ｍＰａ・ｓ（Ｂｒｏｏｋｆｉｅｌｄ  ＤＶＩＩＩ  Ｕｌｔｒａ、ニードルＦ、速度１．５で測定された１０℃のバターなど）までの範囲内の異なる粘度のものとしうる粘度の液体と、入口オリフィスＸ、Ｘ’とオリフィス１１０を塞がないように、最大粒径が入口オリフィスＸ、Ｘ’とオリフィス１１０のサイズによって規定される粉末と、を指すものであることが意図されている。好ましくは、液体形態の少なくとも１つの化合物が選択される。これは、例えば、液体塗料と粉末形態の顔料との混合物、毛髪着色剤の前駆体、例えば、毛髪着色剤の組成物のための酸化剤とベースとカプラとの混合物、所望の色のファンデーションを得るための異なる色の２つの化粧ファンデーションの混合物、ベース化粧クリームと１もしくは複数の活性剤との混合物、または食物ベースソースと液体香料との混合物、またはカクテル製造のための果汁と食物シロップもしくはアルコール飲料との食物アルコールの混合物であってよい。
【００１０】
本発明によれば有利には、少なくとも２つの成分は、少なくとも２つの化粧品成分、好ましくは、少なくとも１つのベース成分と少なくとも１つ、２つ、３つ、４つ、５つ、または少なくとも６つの活性成分とである。好ましい特定の態様では、少なくとも２つの成分は、少なくとも１つのベース成分と少なくとも１つ、２つまたは３つの活性成分とである。
【００１１】
「ベース成分」とは、化粧品に特定の質感（クリーム、美容液、オイルなど）をもたらすことを目的とする化粧品成分をいう。前記特定の質感を得るためのベース成分は、単一の材料（例えば、スイートアーモンドオイル（甘扁桃油））またはいくつかの材料（例えば、水、スイートアーモンドオイルおよび乳化剤）とすることができる。
【００１２】
「活性成分」とは、少なくとも１つの特定の活性（老化防止、保湿、抗酸化剤など）をもたらすことを目的とする化粧品成分を意味する。活性成分は、前記特定の活性を得るために組み合わされた１つまたは複数の活性材料とすることができる。
【００１３】
発明の効果
本発明による装置は、短期間内に、好ましくは３０秒未満で、より好ましくは１５秒未満で、わずかな使用空間と良好な摩耗に対する耐性を伴って、たとえ少量（典型的には、約ｃｍ３以下）で調整される場合でさえも、完全に均質な少なくとも２つの成分、好ましくは化粧品成分の混合物を得ることを可能にする。
【００１４】
カプセル（１０３）を使用すれば、組み合わせたい成分、好ましくは化粧品成分、特に活性成分と同数のカプセルを、そのカスタム製品、好ましくはカスタム化粧品に加えれば十分であるため、ユーザの操作なしに、成分、好ましくは化粧品成分、特に活性成分の予備計量、成分、好ましくは化粧品の単純な組み合わせ、及びカスタム製品、好ましくはカスタム化粧品の最適な保存が可能になり、混合を、即時に、好ましくは使用時に実現することができる。
【００１５】
実際、カプセル（１０３）に含まれる成分、好ましくは、カプセル（１０３）に含まれる化粧品成分、特に活性成分は、特に、最終的な細菌汚染、酸化またはＵＶ分解から保護される。
【００１６】
ポット（１１）の支持装置（１１１）と衝撃装置（４５）を含む選択計量装置（４４）を使用することにより、製品において組み合わせたい成分、好ましくはカスタム化粧品における、特にベース成分と活性成分とを選択すれば十分であるため、ユーザの操作なしに、成分、特にベース化粧品成分の計量、成分、好ましくは化粧品成分の単純な組み合わせが可能になり、本発明による装置は、製品、好ましくはカスタム製品の最適な保存と共に、そのような成分の計量および混合を自動的に行う。
【００１７】
よって、容器（１１）および／またはカプセル（１０３）に含まれる成分、好ましく化粧品は、特に皮膚接触によって発生する可能のある細菌汚染から保護され、ユーザはポット（１１）の内容物に触れない。そのようなポット（１１）および／またはカプセル（１０３）を使用すれば、例えば、内部に含まれる成分への化学防腐剤の添加を制限し、または添加しないことができ、これは、防腐剤なしの、または最小限の防腐剤が入った製品を求める消費者にとって利点となる。実際、これらの化学防腐剤は、肌（皮膚）にとって良くない副作用、健康および／または環境への有害な影響に関する疑問のために、消費者によってますます拒絶されている。
【００１８】
特に、本装置は、インターフェースを介して収集されたパーソナル化ユーザデータにより、ユーザに合わせてカスタマイズされた（ユーザ各人に合わせて作製された）カスタム製品を実現することを可能にする。有利には、制御ユニットを使用すれば、ユーザの情報およびユーザが居住する環境の情報を、例えば、インターネットに接続された携帯電話、インターネットに接続された時計、インターネットに接続されたタッチパッドといったジオロケーション（地理位置情報）によって自動的に取得することができ、特にユーザにカスタマイズされた製品の取得を得ることができる。加えて、データ格納により、ユーザ、ユーザの生活習慣、既に使用されているカスタム製品のモニタリングが可能になり、よって、常に、前記ユーザに適合されたカスタム製品の配合および推奨を提案することができる。
【００１９】
有利には、本発明によれば、カスタム情報は、ユーザの年齢、ユーザの性別、ユーザの１日または１週間の運動時間数、ユーザの１晩の睡眠時間、ユーザが居住する環境の温度、ユーザが居住する環境の湿度、ユーザが居住する環境の汚染の割合、および／またはユーザの肌の特性を含む。
【００２０】
ユーザの肌の特性とは、特に、本発明によれば、ユーザの肌のタイプ（乾燥肌、脂性肌、混合肌、または普通肌）、ユーザの肌のフォトタイプ（フォトスキンタイプ）、肌の色、肌色の輝度（くすんだ肌色や明るい肌色など）、ユーザの肌の感度、ユーザ肌のしわおよび／もしくは小じわの有無、ユーザ肌のしみの有無、結果としてのユーザ肌のハリの欠如、ならびに／または目の周りのくまおよび／もしくはくぼみの有無を指すことが意図されている。
【００２１】
好ましい実施形態では、ユーザの年齢、ユーザの性別、ユーザの１日または１週間の運動時間数、ユーザの１晩の睡眠時間、ユーザが居住する環境の温度、ユーザが居住する環境の湿度、ユーザが居住する環境の汚染の割合、および／またはユーザの肌の特性を意味する。
【００２２】
加えて、本発明によるパーソナル化データは、カスタム化粧品の場合、所望の美容効果（例えば、老化防止作用、しみ防止作用、皮膚水和）を含む。
【００２３】
混合装置（５１）
【００２４】
本発明による製品、好ましくはカスタム化粧品の製造および分配のための装置は、混合装置（５１）に加えて、各々少なくとも２つの成分、好ましくは化粧品成分をそれぞれ含む少なくとも２つの容器（１１、１０３）を含む。この製造および分配装置は、有利には、化粧品成分と同数の容器を含む。好ましくは、活性成分は容器（１０３）に収容され、ベース成分は容器（１１）に収容される。また有利には、ベース成分容器は出口オリフィスを含む。
【００２５】
成分、好ましくは活性化粧品成分を混合装置（５１）に移す手段として、本発明による装置は、少なくとも１つの主弁５６であって、その複数の位置のうちの１つの位置では、中空針９０を前記混合装置（５１）と接続し、その複数の位置のうちの１つの位置では、混合段階中に混合装置（５１）のオリフィスを塞ぎ、その複数の位置のうちの別の位置では、洗浄流路を混合装置（５１）と接続することができる、少なくとも１つの主弁５６と、前記製品、好ましくは化粧品を、分配ノズルを通してユーザに提供することができる少なくとも１つの第２の主弁５６’と、を含みうる。
【００２６】
弁とは、本発明によれば、特に、ダイヤフラム弁、スライドゲート弁、ピンチ弁、ナイフゲート弁、またはボール弁であり、好ましくはスライドゲート弁を指すことを意図している。
【００２７】
本発明による好ましい実施形態では、カスタム化粧品の製造および分配のための装置は、前記混合装置の洗浄装置をさらに含み、その洗浄装置は、
ａ．混合装置５１のレセプタクル（容器）５２への水の流入を可能にする、オリフィスＸに接続された水タンクと、
ｂ．洗浄の結果として生じるレセプタクル５３からの水の排出を可能にする回収タンクに、入口と出口のオリフィスＸ’を連結する溝と、
ｃ．洗浄の結果として生じる水のレセプタクル５２からの排出を可能にする、洗浄の結果として生じる水回収タンクに入口オリフィスＸを接続する中空円形装置Ｙと、
含む。
【００２８】
本発明によれば洗浄（ｃｌｅａｎｉｎｇ）または洗浄（ｗａｓｈｉｎｇ）という用語は同様に使用される。
【００２９】
有利には、洗浄水をより良好な洗浄のために予め加熱することもでき、洗浄水を抗菌剤および／または洗剤などの洗浄剤で置換し、または洗浄水にこれらを添加することもできる。洗浄水には、例えば水酸化ナトリウムを添加することができ、装置はその場合、追加の工程において浄水ですすぎ洗いされる。
【００３０】
好ましくは、本発明による装置の混合装置（５１）は、レセプタクル５２には少なくとも１つの入口オリフィス（Ｘ）が含まれており、少なくとも１つの入口オリフィス（Ｘ）は少なくとも１つの成分、好ましくは活性化粧品成分の導入を意図されており、レセプタクル５３には少なくとも１つの他の入口オリフィス（Ｘ）が含まれており、少なくとも１つの他の入口オリフィス（Ｘ）は、少なくとも１つのベース化粧品成分の導入と、少なくとも２つの成分の、好ましくは化粧品成分の得られた混合物の排出とを意図されており、前記入口と出口のオリフィス（Ｘ）は（Ｘ’）と命名されていることを特徴とする。
【００３１】
有利には、本発明による混合装置（５１）は、少数のオリフィスを含み、洗浄すべきオリフィスの数および閉塞の危険性を限定することを可能にする。よって、この混合装置（５１）は、専用の出口オリフィスを含まないが、入口オリフィス（Ｘ’）のうちの１つが、少なくとも１つの成分の流入と少なくとも２つの成分の得られた混合物の排出との両方を可能にする。
【００３２】
本発明による混合装置のレセプタクルは様々な形態、すなわち、円筒形、楕円形、立方体形、球形、長方形を取ることができる。好ましくは、これらのレセプタクルは楕円形または円筒形であり、これにより洗浄が容易になり、より均質な混合物が得られる。
【００３３】
楕円形レセプタクルには、円筒形レセプタクルよりも混合装置によって使用される空間が小さいという技術的利点がある。そのため楕円形レセプタクルでは、例えば、円筒形のような他の形態を有する装置よりも使用される空間が小さい、製造および化粧品分配装置を得ることも可能になる。
【００３４】
これらのレセプタクルは、少なくとも２つの成分の混合を可能にするために、オリフィス１１０と、レセプタクルを連結する管５５とを各々有していなければならない。しかしながら、これらのレセプタクルの相互に対する位置には技術的制約はなく、これらのレセプタクルは、例えば、間隔を置いて配置することも、上下に段にして配置することも、向かい合わせまたは並列に配置することもできる。
【００３５】
加えて、管５５を、２つのオリフィスを接続し、前記オリフィスを開閉できるようにする弁５７で形成することもできる。
【００３６】
本発明の一態様によれば、混合装置のレセプタクルは柔軟なポケットとすることができる。これらのポケットは、好ましくは柔軟なプラスチック製であり、特に弾性である。
【００３７】
好ましくは、本発明によれば、入口オリフィスＸは、レセプタクル５２に含まれており、少なくとも１つの活性化粧品成分の流入を意図されており、入口オリフィスＸ’は、５３レセプタクルに含まれており、少なくとも１つのベース化粧品成分の流入と、少なくとも２つの化粧品成分の得られた混合物の排出とを意図されている。
【００３８】
本発明による好ましい実施形態では、レセプタクル５２、５３の容積を択一的に変化させる装置、好ましくはピストン５０が、アクチュエータによって駆動される。
【００３９】
また一具体的実施形態では、本発明による混合装置は、少なくとも１つの弁５７を含む。
【００４０】
別の実現形態によれば、本発明による混合装置は、少なくとも２つの主弁５６、５６’と、少なくとも１つの補助弁５７とを含む。好ましくは、弁には各々２つの穴が設けられている。好ましくは、装置は２つの主弁５６、５６’と補助弁５７とを含み、各々２つの穴を有する。
【００４１】
このように穴があいたこれら少なくとも３つの弁５６、５６’、５７は、水ポンプ（送水ポンプ）の追加も、装置内部に送水する前記水ポンプによって動力供給されるスプリンクラも必要とせずに、前記装置を確実に洗浄することを可能にする。自己洗浄の工程において、前記弁とピストンのおかげで、混合装置はそれ自体でその洗浄に必要な水を求めることになる。
【００４２】
本発明による特に好ましい実施形態では、本発明による混合装置（５１）の少なくとも３つの弁５６、５６’、５７は、スライドゲート弁であり、好ましくはナイフゲート弁である。
【００４３】
このような弁は、装置の密封を最適化し、特に、当業者によって従来から使用されている他の弁、特に水門弁の使用と比較して著しく改善された非常に良好な密封を得ることを可能にする。この改善された密封により、必要とされるすべての密封状態で、水ポンプなしで、混合装置５１の自己洗浄の工程が可能になる。
【００４４】
特に、これらのスライドゲート弁は、水門弁のような回転ではなく、並進移動（平行移動）で駆動される。
【００４５】
本発明による好ましい実施形態では、本発明による装置の混合装置（５１）は、混合装置（５１）内に配置された導管を摺動する、少なくとも２つの穴を有する補助弁５７を含み、前記弁５７は、好ましくはモータ６２によって動力供給されるラックシステム６１によって並進移動で駆動され得、前記２つのレセプタクル５２、５３の間の流れを制御することができる。
【００４６】
ラックを使用すれば、前記装置の混雑を最小限に維持しながら、前記弁を並進移動させることが可能になる。
【００４７】
好ましくは、弁５６は２つの穴を有し、混合装置内に配置された管内を摺動し、一方の穴は、混合装置５１の洗浄のため前記装置に水を貫通させるために、洗浄水のアクセスを可能にし（洗浄位置における弁５６のことである）、他方の穴は、前記混合装置において、成分、好ましくは活性剤の成分を導入するために、または中空針によって洗浄水を抜き出して装置を洗浄するために、中空針へのアクセスを可能にする（これは開位置の弁５６を指している）。
【００４８】
好ましくは、弁５６’は２つの穴を有し、混合装置内に配置された管内を摺動し、一方の穴は、成分、好ましくはベース成分へのアクセスを可能にし、他方の穴は、混合によってそこから得られた製品、好ましくはカスタム化粧品の供給ノズルへのアクセスを可能にする。
【００４９】
カプセル（１０３）内の少なくとも１つの成分の選択装置（１０）
【００５０】
有利には、選択装置（１０）は、
軸（７）を中心に回転し、
好ましくは、円形または半円形であり、
カプセル（１０３）を各々入れることができる少なくとも１つ、２つ、３つ、４つ、５つ、または少なくとも６つの位置（Ｙ）を含み、
オリフィス（１）が位置（Ｙ）の前にあるときに選択装置（１０）におけるカプセル（１０３）の挿入を可能にし、回転後に、オリフィス（１）が位置（Ｙ）の前にないときに選択装置（１０）にカプセル（１０３）が挿入されるのを防止する、オリフィス（１）を有する安全ドア（Ｚ）を含む。
【００５１】
本発明による好ましい実施形態では、混合装置（５１）は、カプセル（１０３）内の好ましくは化粧品である成分のサンプリングシステム（９０）と、混合装置（５１）への好ましくは化粧品である成分の移送装置とを含む。
【００５２】
有利には、サンプリング装置および移送装置は単一の装置としうる。特に好ましくは、前記サンプリング装置（９０）は、中空針と、前記中空針を通した、好ましくは化粧品である成分の吸引手段とを含む。
【００５３】
有利には、前記中空針は混合装置（５１）に組み込まれ、吸引手段は混合装置のピストン（５０）であり、成分、好ましくは化粧品を、中空針を通してカプセル（１０３）から混合装置（５１）に直接移すことを可能にし、中空針は、その場合、サンプリングおよび移送装置として使用される。
【００５４】
特に好ましくは、混合装置（５１）は、その複数の位置のうちの１つの位置では、中空針（９０）を混合装置（５１）と接続するのに適し、その複数の位置のうちの１つの位置では、混合中に混合装置（５１）のオリフィスを塞ぐのに適する主弁を含みうる。
【００５５】
吸引手段とは、本発明によれば、カプセル（１０３）の内容物を引き出し、それを混合装置において分配するために、混合装置（５１）のレセプタクルで利用可能な容積を変化させることを可能にする装置、例えば、モータ駆動式ピストン、好ましくは混合装置（５１）のピストン（５０）を指すことを意図している。中空針とは、本発明によれば、カプセル（１０３）に穴を開けることができる中空針を指すことが意図されている。
【００５６】
有利には、本発明によれば、混合装置（５１）は、レール（５）上を、選択装置（１０）に対して前後の水平並進移動で移動、好ましくは摺動することができるカート（台車）（８８）上に配置される。好ましくは、カート（８８）は、モータに移動可能に接続される。
【００５７】
有利には、本発明によるカスタムの、好ましくは化粧品の、製品製造装置は、使用後のカプセル（１０３）を回収する容器（Ｐ）をさらに含む。好ましくは、この容器（Ｐ）は、その内容物、すなわち使用済みカプセルを、例えば廃棄物と共に容易に空にするために前記装置から取り外し可能である。
【００５８】
有利には、混合装置（５１）は、前記混合装置（５１）内の成分のためのオリフィス（Ｘ’）を備え、前記オリフィス（Ｘ’）は、少なくとも１つのポット（１１）と強く接触させることができる。
【００５９】
ポット（１１）内の少なくとも１つの成分の選択計量装置（４４）
【００６０】
好ましくは、本発明による装置は、
選択計量装置（４４）は、少なくとも１つ、２つ、３つ、４つ、５つまたは少なくとも６つのポット（１１）、好ましくは３つのポット（１１）を収容できる、好ましくは円筒形の、容器の形態でそれ自体存在するポットラック（１１）の装置（１１１）を含み、ポットラック（１１）の前記装置（１１１）は、容器（１１１）の側部に位置し、引き込みスラスト（Ｂ）の開始を可能にする、各ポット（１１）用のスロット（Ｆ）を含み、
選択計量装置（４４）は、ポットラック装置（１１１）に接し且つポットラック装置（１１１）の下に配置される衝撃装置（４５）であって、ポットラック（１１１）が収容する各ポット（１１）用のスロープ（勾配）（１６）を提供する好ましくは円形ホイールとして存在する衝撃装置（４５）を含み、
選択計量装置（４４）は、装置（４４）に引き込むことができるか、または選択されたポット（１１）に対応するスロット（Ｆ）に係合することができ、ポットラック（１１１）に対して、前記スラストが選択されたポット（１１）に対応するスロット（Ｆ）に係合すると、スロープ（１６）に従い、よって、選択されたポット（１１）を混合装置（５１）と接触させ、混合装置（５１）に、選択されたポット（１１）に収容された成分量を導入することを可能にすることができる、容器（１１１）の前に配置された引き込みスラスト（Ｂ）を含み、
ポットラック（１１）の装置（１１１）と衝撃装置（４５）とは、互いに重なり合って配置され、軸（８）を中心に一緒に回転する、
ことを特徴とする。
【００６１】
有利には、ポットラック装置（１１１）と衝撃装置（４５）とは、モータを使用して一方向と他方向とに回転するように設定することができる。
【００６２】
ポット（１１）上のノズルポンプ（７８）は、ポット（１１）内の成分の出口オリフィスであり、混合装置（５１）のオリフィス（Ｘ’）に係合すると、前記ポット（１１）に収容された成分用量を輸送することができる。一実施形態によれば、その成分用量は、オリフィス（Ｘ’）への係合後に、ポット（１１）の、よって前記オリフィス（Ｘ’）内のノズルポンプ（７８）の圧力、すなわち、衝撃によって輸送され得る。
【００６３】
本発明によって得られるカスタム製品、好ましくは化粧品の体積量は、例えばユーザが直ちに１回使用するための１回分とすることもでき、複数回使用するための複数回分とすることもでき、この場合製品は消費者によって容器に貯蔵されうる。
【００６４】
化粧品の体積量が１回分である場合、それは通常はｍｌオーダの体積量になり、特に顔用の化粧品の場合には約１ｍｌの体積量である。
【００６５】
この１ｍｌという化粧品の体積量の場合には、衝撃装置（４５）による衝撃ごとに装置によって輸送される成分用量、すなわち、成分の体積量は、ほぼ０．２ｍｌ程度になり、少なくとも２〜５回、有利には２〜３回の衝撃を実施することが有利となる。
【００６６】
有利には、本発明の装置は、選択されたポット（１１）内の成分が衝撃によって、好ましくは、混合装置（５１）の入口（Ｘ’）に取り付けられたポット（１１）のノズルポンプ（７８）の圧力によって、混合装置（５１）に導入されることを特徴とする。
【００６７】
好ましくは、本発明による装置は、別の成分を混合装置（５１）に導入することができる少なくとも１つの別の容器、好ましくはカプセル（１０３）を含む。前記カプセル（１０３）は、好ましくは活性成分を収容することが好ましい。
【００６８】
特に好ましい実施態様では、カスタム製品は化粧品であり、成分は化粧品成分であり、好ましくは、ポット（１１）に収容された化粧品成分はベース成分であり、カプセル（１０３）に収容された成分は活性成分である。
【００６９】
インターフェース
【００７０】
特定の実施形態において、本発明による装置は、データ処理装置と制御手段とに接続できるインターフェースを含み、前記インターフェースは、ユーザが、カスタム化粧品の少なくとも１つの成分、好ましくは少なくとも１つの活性成分、好ましくはすべての活性成分、さらに好ましくはカスタム製品に含まれるすべての成分を選択することを可能にする。
【００７１】
データ収集インターフェース（Ｉｎ）とは、本発明によれば、インターフェース、好ましくは、ユーザまたはユーザに代わる第三者に対して、記録される、および／または、例えばデータベースからデータ処理装置に送信される、そのパーソナル化データを知らせることを可能にする情報インターフェースを指すことを意図している。
【００７２】
本発明によるインターフェース（Ｉｎ）は、例えば、タッチスクリーン、ディスプレイ、モニタ、ディスプレイスクリーンキーボード、バーコードリーダ、ライトペン、音声認識システム、キーボード、マウスまたは類似の他の周辺機器で構成されうる。
【００７３】
有利には、本発明によれば、インターフェース（Ｉｎ）はコンピュータネットワークに接続することができ、コンピュータネットワークは、例えば、インターフェースに物理的に接続され、またはインターネットを介して接続された（Ｃｌ）（仮想サーバまたはクラウドにおけるサーバとも呼ばれる）コンピュータサーバ（Ｓｖ）の形態を取ることができ、特に、インターフェースの、特にデータベースの定期更新を可能にし、および／またはカスタム製品製造のインストラクションをカスタム製品製造装置（Ｍａ）にリモートで送信することを可能にする。
【００７４】
データ処理装置とは、本発明によれば、本発明によるインターフェースを介して収集された嗜好データの自動処理システムを指すことが意図されている。このデータ処理装置は、特に、本発明による１つまたは複数の処理ユニット、メモリ、ソフトウェア、１または複数のデータベースを含みうる。好ましくは、ソフトウェアは、本発明による方法のアルゴリズムを適用することを可能にする。
【００７５】
データ処理装置は、好ましくはコンピュータを含みうる。コンピュータとは、本発明によるインターフェースによって収集されたデータの自動処理を行うことができる任意の電子装置も指す。
【００７６】
有利には、本発明によれば、データ処理装置は、コンピュータネットワーク、サーバ、特に仮想サーバ（クラウド内のサーバと呼ばれる）またはインターネットに接続することができ、特にソフトウェアの定期更新を可能にし、および／またはカスタム製品製造インストラクションをリモートで送信することを可能にする。
【００７７】
有利には、本発明によれば、データ収集インターフェースおよびデータ処理装置は、同じ装置（例えば、タッチパッド、携帯電話またはコンピュータ）に含めることができる。
【００７８】
有利には、本発明によるカスタム製品製造装置は、インターフェースとデータ処理装置（前記バックエンド）とを組み合わせた１台の装置、および／またはクラウドのサーバ上の第２のデータ処理装置を含むことができ、２台の「バックエンド」装置または「クラウドのサーバ」の中からのインターフェースが情報伝達しなければならない相手のデータ処理装置の選択は、解析されるべきデータの数に従って、特にユーザによって知らされた情報の数に従って行われる。
【００７９】
有利には、データ処理装置は、カスタム製品製造に適した成分を自動的に規定し、前記データの関数として各成分の量を計算するために、インターフェースにおいてユーザによって入力されたデータ（例えば、ベース成分の選択など）、または識別コード認識による、装置に挿入されたカプセル（１０３）に基づく活性成分の選択、を処理するアルゴリズムを含む。装置は、好ましくは、少なくとも１台のコンピュータを含む。
【００８０】
有利には、前記情報またはデータは、例えば、質問票によってユーザから直接取得され、または携帯電話やインターネットに接続された時計など、前記ユーザが使用する接続された物の１または複数から情報を収集することによって自動的に取得され、例えば、その日にユーザが行った運動からのデータや、ジオロケーションによるユーザが位置する場所の温度、湿度、人口の割合さえも回収することができる。
【００８１】
有利には、インターフェースは、製造装置（Ｍａ）上に配置されたボタン、好ましくは３つのバックライトボタンを含み、選択された成分を選択することができる。化粧品の一部として、例えば、ベース美容液、ベース水中油型乳剤、油中水型乳剤などの選択されたベース成分を選択することができる。
【００８２】
有利には、前記インターフェースは、好ましくは携帯電話、タッチパッドまたはコンピュータ上で、化粧品成分、特にベース成分のレベル（量）を、例えば各容器（１１）で行われた衝撃回数、したがって、容器（１１）によって既に送り出された計量数を数えることによって表示することができる。
【００８３】
識別コードおよび検出手段（１２）
【００８４】
本発明の文脈で使用される（１または複数の）識別コードは、カラーコード（カラーコード）、ＲＦＩＤチップ、バーコード、ＱＲコード（登録商標）など、当業者が一般的知識として公知のすべて識別コードであってよい。前記識別コードの検出手段は、選択された識別コードに適合される。好ましくは、本発明による識別コードはカラーコードであり、検出手段は光学手段である。
【００８５】
方法
【００８６】
本発明の第２の目的は、ユーザのためのカスタム化粧品の製造方法に関するものであり、前記方法は、本発明による装置を使用し、以下の工程を含む：
ａ．パーソナル化データ収集のインターフェースによって前記ユーザのパーソナル化データを収集する工程；
ｂ．カスタム製品の成分、好ましくは活性成分および／またはベース成分を自動的に規定し、各成分の量を工程ａ）で収集されたパーソナル化データの関数として計算するアルゴリズムで前記パーソナル化データを処理する工程；
ｃ．前記ユーザのためのカスタム製品配合を提供する工程；
ｄ．オプションで、カスタム製品配合の前記提案を、好ましくはインターネットを介して接続された自動化粧品製造装置に送信する工程；
ｅ．工程ｂ）で規定された前記配合の各成分を、混合装置に送り出すためにその容器からサンプリングする工程；
ｆ．前記成分を混合装置で混合する工程；
ｇ．ユーザのためのカスタム化粧品を取得する工程。
【００８７】
有利には、本発明によれば、カスタム製品配合の（１または複数の）活性成分およびそれらの量は、選択装置（１０）に挿入すべき、カプセル（１０３）の数およびカプセル（１０３）が収容する成分によるカプセル（１０３）のタイプによって規定される。
【００８８】
有利には、本発明によれば、カスタム製品配合の（１または複数の）ベース成分の用量は、ポット（１１）のノズルポンプ（７８）の選択計量装置（４４）によって送り出される衝撃回数によって規定される。
【００８９】
有利には、本発明によれば、前記ユーザのためのカスタム製品配合の提供の工程ｃ）は、ユーザに、活性成分のどの１または複数のカプセル（１０３）を工程ｅ）で混合装置（５１）に導入するべきか指示することからなり、前記カプセルは識別コード、好ましくはカラー識別コードを有し、カラー識別コードが検出手段（１２）によって検出されると、工程ｅ）に対応するポット（１１）にどのベース成分サンプルが入れられるか、およびその量を、選択計量装置（４４）に自動的に伝える。
【００９０】
有利には、本発明によれば、本発明による方法の工程ｅ）は以下の工程を含む：
Ｉ）以下の工程によってポット（１１）に収容された少なくとも１つの成分を混合装置（５１）に導入する工程：
ａ）軸８を中心とした装置（１１１）および（４５）の回転によって、ポットラック装置（１１１）上に配置されたポット（１１）を、選択されたポット（１１）が混合装置（５１）の入口オリフィス（Ｘ’）の前になるようにする工程；
ｂ）軸（８）を中心とした回転によって装置（１１１）と装置（４５）とを工程ａ）と反対方向に回転させて、選択されたポット（１１）に対応するスロット（Ｆ）が引き込みスラスト（Ｂ）に係合するようにし、ポットの支持体（１１１）に対して、そのようなスラストが選択されたポット（１１）のスロット（Ｆ）に係合すると、選択されたポット（１１）のスロープ（１６）に従い、よって、選択されたポット（１１）を混合装置（５１）と接触させ、混合装置（５１）に対して、好ましくはレセプタクル（５３）内に、混合装置（５１）のオリフィス（Ｘ’）に取り付けられたポット（１１）のノズルポンプ（７８）の圧力によって、選択されたポット（１１）内の成分の用量を導入することを可能にする工程；
ｃ）オプションで、工程ａ）および工程ｂ）を、選択されたポット（１１）から成分の容量を導入するために必要な回数だけ繰り返す工程；
ｄ）レセプタクル５２、５３の利用可能な容積を交互に変化させる装置の運動によって、好ましくはピストン５０の運動によって、レセプタクル５３の前記ベース化粧品成分を２つのオリフィス１１０を連結する導管５５によってレセプタクル５２に流す工程；
ｅ）レセプタクル５２内に存在する空気を前記オリフィスＸによって排出するように、レセプタクル５２、５３の利用可能な容積を択一的に変化させる装置の運動によって、好ましくは前記ピストン５０の運動によって、レセプタクル５２のガス抜きを行う工程；
ＩＩ）以下の工程によって、カプセル（１０３）に収容された少なくとも１つの成分を、オリフィス（Ｘ）を通して混合装置（５１）に、好ましくはレセプタクル５２に導入する工程：
ｆ）安全ドア（Ｚ）のオリフィス（１）を選択装置（１０）の位置（Ｙ）の前に配置する工程；
ｇ）前記オリフィス（１）の前に位置する位置（Ｙ）までオリフィス（１）を通して成分を収容するカプセル（１０３）を挿入する工程；
ｈ）選択装置（１０）を回転させることによって、挿入されたカプセル（１０３）を、混合装置（５１）の前に、好ましくはサンプリング装置（９０）の前に配置する工程；
ｉ）選択装置１０の位置（Ｙ）に位置するカプセル（１０３）まで、前方への水平並進移動によってカート（８８）上の混合装置（５１）を移動させる工程；
ｊ）オリフィス（Ｘ）を通してカプセル（１０３）から混合装置（５１）まで、好ましくはレセプタクル（５２）まで成分を移動させる工程；
ｋ）混合装置（５１）がカプセル（１０３）と接触しなくなるように、前方への水平並進移動によってカート（８８）上の混合装置（５１）を移動させる工程；
ｌ）別のカプセル（１０３）に収容された別の成分を、オリフィス（Ｘ）を通して混合装置（５１）に、好ましくはレセプタクル（５２）に導入するために、オプションで、工程ｅ）〜ｊ）を繰り返す工程；
段階Ｉは、段階ＩＩの前に実施されてもよく、またはその逆であってもよい。
【００９１】
有利には、本発明によれば、本発明による方法の工程ｆ）は以下の工程を含む：
ＩＩＩ）前記混合装置（５１）における前記少なくとも２つの成分の混合を、以下の工程によって実施する工程：
ａ）モータ６２を作動させて、レセプタクル５２、５３の利用可能な容積を変化させる装置の運動によって、好ましくはピストン５０の対向運動によって、２つのオリフィス１１０を連結する導管５５によって、レセプタクル５２、５３の成分を択一的に導入することによって均質な化粧品成分の混合を達成し、最後にレセプタクル５３への前記化粧品成分の混合物で終了する工程；
ｂ）化粧品をオリフィスＸ’によってユーザに排出するように、レセプタクル５２、５３の利用可能な容積を択一的に変化させる装置の運動によって、好ましくはピストン５０の運動によって、このように製造された化粧品をユーザに分配する工程；
ｃ）オプションで、洗浄の工程によって混合装置を洗浄する工程；
少なくとも１つのポット（１１）および／または少なくとも１つのカプセル（１０３）は、識別コード、好ましくはカラーコードを示し、工程Ｉの間において導入される前記ポット（１１）に収容された成分の用量の数、ならびに／または工程ＩＩで導入することができるカプセル（１０３）のタイプおよび／もしくは数は、検出された（１または複数の）識別コードに従う。
【００９２】
有利には、本発明による方法の工程Ｉおよび／または工程ＩＩは、工程ＩＩＩを行う前に、カスタム製品製造のための成分を添加するために必要な回数だけ繰り返される。
【００９３】
１つの特定の実施形態では、本発明による方法は、
本発明による装置で、所望の製品、好ましくは化粧品を事前に選択し、次いで、前記混合装置（５１）に、前記装置によって選択された識別コードを示す、前記少なくとも２つの成分、好ましくは化粧成分を導入するのみの工程、
も含む。
【００９４】
特定の実施態様では、前記識別コードはカラーコードであり、検出は光学手段によって行われる。
【００９５】
前記少なくとも２つの化粧品成分は、
少なくとも１つのベース成分と、
少なくとも１つ、２つ、３つ、４つ、５つ、または少なくとも６つの活性成分と、
を含む。
または、活性成分のうちの少なくとも１つがベース成分のうちの少なくとも１つと適合しない可能性が高い場合、前記方法は、少なくとも１つのベース成分と少なくとも１つの活性成分および／または少なくとも２つの活性成分との識別のためのコードが適合しない場合に混合操作をロックする工程を含む。
【００９６】
本発明によって得られるカスタム化粧品の体積量は、例えばユーザが直ちに１回使用するための１回分とすることもでき、複数回使用するための複数回分とすることもでき、この場合製品は消費者によって容器に貯蔵されうる。化粧品の体積量が１回分である場合、それは通常はｍｌオーダの体積量になり、特に顔用の化粧品の場合には約１ｍｌの体積量である。この１ｍｌという化粧品の体積量の場合には、弁５７内の管５５の容積を約０．０５ｍｌとすることができ、化粧品成分の均質な混合を達成するために、（レセプタクル５２、５３の利用可能な容積を択一的に変化させる装置の運動によって、好ましくはピストン５０の対向運動によって、２つのオリフィス１１０を連結する管５５を通してレセプタクル５２、５３の成分を択一的に導入するよう、モータ６２を作動させることによって）レセプタクル５２、５３の間の化粧品成分の、少なくとも３回、有利には３から６回の往復を実施することが有益であろう。
【００９７】
有利には、カスタム化粧品の少なくとも２つの化粧品成分の混合による製造および分配のための方法は、以下の工程を含む：
●混合装置５１に対して、オリフィスＸ’を介してレセプタクル５３へ少なくとも１つのベース化粧品成分を導入するために、モータ６２を使用して弁５６’を開位置にし、モータ６２を使用して弁５６’を閉位置にして、オリフィスＸ’を閉じさせる工程；
●モータ６２を使用して弁５７を開位置にして、２つのオリフィス１１０を開く工程；
●レセプタクル５２、５３の利用可能な容積を交互に変化させる装置の運動によって、好ましくはピストン５０の運動によって、レセプタクル５３の前記ベース化粧品成分を、２つのオリフィス１１０を連結する管５５によってレセプタクル５２に流すためにモータ６２を動作させる工程；
●モータ６２を使用して弁５７を閉位置にして、２つのオリフィス１１０を閉じる工程；
●モータ６２を使用して弁５６を開位置にして、オリフィスＸを開き、レセプタクル５２内の空気をオリフィスＸによって排出するために、レセプタクル５２、５３の利用可能な容積を交互に変化させる装置の運動によって、好ましくはピストン５０の運動によって、レセプタクル５２のガス抜きを行う工程；
●前記混合装置５１に対して、モータ６２を使用して弁５６を開位置にしてオリフィスＸを介してレセプタクル５２へ少なくとも１つの活性化粧品成分を導入する工程；
●モータ６２を使用して弁５６、５６’を閉位置にして、オリフィスＸ、Ｘ’を閉じる工程；
●モータ６２を使用して弁５７を開位置にして、オリフィス１１０および管５５を開く工程；
●レセプタクル５２、５３の利用可能な容積を交互に変化させる装置の運動によって、好ましくはピストン５０の対向運動によって、モータ６２を使用して２つのオリフィス１１０を連結する管５５によりレセプタクル５２、５３の成分を択一的に流して化粧品成分の均質な混合を達成し、最後にレセプタクル５３内の前記化粧品成分の混合物で終了する工程；
●モータ６２を使用して弁５７を閉位置にし、弁５６’を開位置にして、オリフィスＸ’を開く工程；
●このように製造された化粧品をオリフィスＸ’によってユーザに排出するように、レセプタクル５２、５３の利用可能な容積を択一的に変化させる装置の運動によって、好ましくはピストン５０の運動によって、前記化粧品をユーザに分配する工程；
●オプションで、洗浄の工程によって混合装置を洗浄する工程。
【００９８】
有利には、本方法の洗浄工程は以下の工程を含む：
●レセプタクル５２、５３、オリフィスＸ、Ｘ’を、弁５６、５６’と、好ましくは弁５７に含まれる管５５との内側から洗浄する第１の工程であって、
○モータ６２を使用して弁を洗浄位置５６にし、オリフィスＸを洗浄水タンクの前にする工程と、
○オリフィスＸを通ってレセプタクル５２まで、洗浄水タンク内に存在する水を求める工程と、
○モータ６２を使用して弁５６を閉位置にし、補助弁５７を開位置にする工程と、
○レセプタクル５２、５３の利用可能な容積を択一的に変化させる装置の運動によって、好ましくはピストン５０の対向運動によって、好ましくは弁５７に含まれる、２つのオリフィス１１０を連結する管５５により、レセプタクル５２の水をレセプタクル５３へ択一的に流すためにモータを動作させ、次いでレセプタクル５３への洗浄水で完了する工程と、
○弁５７を閉位置にしてオリフィス１１０を閉じる工程と、
○弁５６’を開位置にする工程と、
○洗浄の結果として生じた水を、オリフィスＸ’を介して回収タンクに排出する工程と、
を含む、第１の工程と、
●レセプタクル５２と、オリフィスＸと、中空針９０の内側および外側とを洗浄する第２の工程であって、
○弁５７を閉位置にしてオリフィス１１０を閉じる工程と、
○モータ６２を使用して弁５６を洗浄位置にし、オリフィスＸを洗浄水タンクに接続させる工程と、
○洗浄水タンクに存在する水を、オリフィスＸを介してレセプタクル５２に求める工程と、
○弁５６を開位置にして、オリフィスＸを中空針９０に連結させる工程と、
○オリフィスＸを水回収タンクに連結する中空円形装置Ｙに中空針９０を挿入する工程と、
○オリフィスＸと、中空円形装置を通る中空針９０とによって水を排出して、オリフィスＸ、次いで中空針９０の内側、次いで中空針９０の外側を洗浄させる工程であって、水は、洗浄の結果として生じる水の回収タンクへの排出前に中空針９０の外側で装置Ｙに戻る、工程と、
を含む、第２の工程。
【図面の簡単な説明】
【００９９】
【図１】ピストンなしの混合装置５１の正面図である。
【図２】図２は混合装置５１の背面図であり、図２’は混合装置５１の背面図３／４である。
【図３】主弁５６、５６’および補助弁５７の、正面（図３）を表す図である。図３では、弁５６の、レセプタクル５２への化粧品成分のアクセスを可能にする開位置と、洗浄水へのアクセスを可能にする洗浄位置とを区別することができる。主弁５６、５６’および補助弁５７の背面（図３’）を表す図である。
【図４】ピストンおよびレセプタクル５２、５３が透過的に表されている、前面パネルにおける混合装置全体を表す斜視図である。
【図５】混合装置全体の背面パネルを表す斜視図である。
【図６】（図の上には水平に切断された状態で示されており、図の下には本発明による装置で使用されるように閉じた状態で示されている）洗浄のための円形中空装置を表す図である。図示のように、左側には中空針９０を挿入することができるノズルを見ることができ、白い矢印は、中空針９０内部の洗浄を可能にし、次いで、カーブの後に再度（白い矢印それ自体が交差する位置で）中空針９０の外側を通る、装置Ｙ内部の水の流路である。
【図７】中空針が内部に挿入された洗浄のための円形中空装置を表す図である（Ｙは、図の下に本発明による装置で使用されるように閉じた状態で示されている）。
【図８】洗浄の位置における、中空針が内部に挿入された洗浄のための円形中空装置を表す図である（水平に切断された状態で示されている。装置内部Ｙの中空針９０を識別することができる）。
【図９】装置の内部構成を視覚化できるようにリードが透過的に表された製造装置の斜視図である。
【図１０】製造装置の垂直断面図である。
【図１１】装置の内部構成を視覚化できるようにリードが透過的に表された製造装置の下３／４の斜視図である。
【図１２】ポット（１１）のノズルポンプがオリフィス（Ｘ’）内に係合している混合装置（５１）の正面図である。
【図１３】引き込みスラスト（Ｂ）と、ポットの支持装置（１１１）および前記支持装置（１１１）上のスロット（Ｆ）の下に配置された衝撃装置（４５）との詳細図である。装置（４５）と装置（１１１）とを軸を中心に時計回りに（右に）回転させることにより、引き込みスラスト（Ｂ）は引き込まれ、装置（１１１）は自由に回転できることがわかる。反対に、装置（４５）と装置（１１１）とを軸を中心に反時計回りに（左に）回転させることにより、引き込みスラスト（Ｂ）はスロット（Ｆ）に係合し、装置（１１１）はその場合スロープ（１６）に従い、ポット（１１）を混合装置（５１）と接触させることがわかる。
【図１４】３つのポット（１１）を収容することができるポット（１１）の支持装置（１１１）の底面図である。引き込みスラスト（Ｂ）を係合させることができる３つのポット（１１）に対応する３つのスロット（Ｆ）が認識できる。
【図１５】３つのスロープ（１６）を有する衝撃装置（４５）の側面図である。図示のように、衝撃装置（４５）には、軸（８）を中心にモータによって回転駆動させやすいように、歯が付いている。
【図１６】３つのスロープ（１６）を有する衝撃装置（４５）の上面図である。図示のように、衝撃装置（４５）には、軸（８）を中心にモータによって回転駆動させやすいように、歯が付いている。
【図１７】動作中の混合装置（５１）およびピストン（５０）と、ピストン（５０）との図である。
【図１８】インターフェースに対するパーソナル化データを入力するユーザ（Ｕｔ）の動作によって、本発明によるカスタム製品製造装置（Ｍａ）と共に機能するインターフェース（Ｉｎ）を表す図である。
【発明を実施するための形態】
【０１００】
これらの図には、選択装置（１０）の３つの位置Ｙ（Ｙ１、Ｙ２、Ｙ３）のうちの１つにおいて、活性成分のうちの１つ、２つまたは３つのカプセル（１０３）を導入するためのカプセルの形状のオリフィス（１）が示されている（図では、カプセル（１０３）はオリフィス（１）の前の、より高い位置である位置Ｙ１に移動する）。これらのカプセルは、各々、中空針（９０）によってサンプリングされ、次いで、混合装置（５１）を使用して、ユーザによって装置に設置された容器（１１）内で１または複数のベース成分と混合される活性成分を収容している。
【０１０１】
図９には、レール（５）上を前方に水平に移動し（図９では、これにより選択装置（１０）に向けて左に移動することになる）、次いで、図９に示すその初期位置を回復するために後方に移動する混合装置（５１）が配置されたカート（８８）が示されている。
【０１０２】
次に、特に図９および図１０を参照して、装置の動作順序について説明する。
【０１０３】
この工程の第１段階は、オリフィス１の活性成分のカプセルを位置（Ｙ１）に導入することである。
第１の工程で、選択装置（１０）は、カプセル（１０３）が搭載された位置（Ｙ１）が混合装置（５１）の中空針（９０）に面するように選択装置（１０）自体を配置するよう、軸（７）を中心として時計回りに回転する。図２では、時計回りに約９０度回転するとそのような結果が得られることがわかる。
第２の工程で、混合装置（５１）が配置されたカート（８８）はモータにより前方へ水平にレール（５）上を移動し（図１では、これにより、選択装置（１０）に向けて左に移動して）、中空針（９０）が位置（Ｙ１）でカプセル（１０３）を突き刺し、吸引手段（ピストン）によってカプセルに存在する活性成分を吸引し、それを混合装置（５１）に移送することになる。
第３の工程で、カートおよび混合装置が図９に示すように元の位置を回復するまで、混合装置（５１）が配置されたカート（８８）はモータにより後方に水平に移動する（図９では、これにより、レール（５）上を選択装置（１０）に向けて右に移動することになる）。
【０１０４】
オプションで、ユーザは、前記選択装置の回転により位置（Ｙ２）の前に配置されたオリフィス（１）を通して選択装置（１０）に新しいカプセル（１０３）を挿入することによって、新しい化粧品成分、好ましくは１つの活性成分を添加することができる。次いでユーザは、第２の活性成分カプセルで工程の第１段階を繰り返すことができ、位置Ｙ２が位置Ｙ１に取って代わる。
【０１０５】
同様にオプションで、第３のカプセルがオリフィス（１）に面するまで選択装置（１０）を回転させることによって第３のカプセルを位置Ｙ３に追加することもできる。
【０１０６】
そのように使用された（１または複数の）カプセルは、次いで、使用済みカプセルが重力によって落下する位置（Ｙ）（図１０では、この位置は、例えば、２２５度の時計回りの回転によって得られる）になるまで選択装置（１０）を回転させることによって廃棄物区画に排出され、そこでカプセルを廃棄物容器に回収することができる。有利には、カプセル（１０３）の内容物が混合装置（５１）に移されると、選択装置は、回転、例えば、時計回りの回転によって、図９および図１０に示されているようなその開始位置、すなわち、オリフィス（１）の前の位置（Ｙ１）に戻り、これにより、位置（Ｙ１）、次いで（Ｙ２）、次いで（Ｙ３）を、カプセルが重力によって廃棄物容器に落下する位置に自動的に位置決めする。
【０１０７】
この工程の第２段階では、ベース成分容器（１１）は、収集輸送手段により、混合装置（５１）にベース成分の用量を送り出す。
【０１０８】
この工程の第３段階は、混合装置（５１）でベース成分と活性成分とを混合することからなる。
【０１０９】
この工程の第４段階は、このように製造された製品をユーザに分配することからなる。
【０１１０】
サイクルの終わりに、水であってよい洗浄液によって装置の洗浄が行われる。次いで洗浄液は廃棄物容器に回収される。
【０１１１】
次に、非限定的な例として、添付の概略的な図面に関連した本発明の一実施形態について説明する。
【０１１２】
１−ユーザは、自分の携帯電話のインターフェース上で、以下のパーソナル化データを指示する。
ｉ．性別：女性
ｉｉ．肌タイプ：乾燥
ｉｉｉ．肌にしわがある
【０１１３】
２−アルゴリズムは、老化防止活性剤を収容したカプセル（１０３）を有するカスタム製品配合を規定する。
【０１１４】
３−ユーザは、老化防止活性成分を含むカプセル（１０３）を、選択装置（１０）の位置（Ｙ１）まで安全ドア（Ｚ）のオリフィス（１）を通して挿入し、装置は、カプセルに保持されたカラー識別コード光学検出手段によって活性成分のタイプを検出する。
【０１１５】
４−ユーザは、カプセル（１０３）を挿入後、装置のインターフェースのタッチを押して、例えば、乾燥肌に特に適する水中油型乳剤を選択することによって、ベース成分の選択および計量を開始する。
【０１１６】
５−ポット（１１）内の少なくとも１つの成分の選択計量装置（４４）は、オリフィス（Ｘ’）の前に正しいポット（１１）を提示し、例えば、美容顔トリートメント利用に１ｍｌなど、所望の用量のケアを最終的に有することが検出されたカプセル（１０３）に対して、ベース成分の用量を送り出すための一連の衝撃を実施する。この段階において、混合装置（５１）は、特定の「ベース成分受け取り」位置にある。
【０１１７】
６−次いで選択装置（１０）は、混合装置（５１）が当たり、混合装置（５１）によって吸引するために、中空針（９０）の前に１つまたは複数のカプセルを提示する。この段階の間、混合装置は、特定の「活性成分吸引」位置にある。
【０１１８】
７−混合装置（５１）は、「混合」位置に配置され、挿入されたベース成分の関数として、混合装置（５１）は、２つのレセプタクル５２、５３の間で異なる回数の往復を実施する。
【０１１９】
８−混合装置（５１）は、このようにして混合によって得られたカスタム製品をレセプタクル（５３）に導入する。カートは混合装置（５１）を最終製品レセプタクルの受け口の上方に移動させ、混合装置（５１）は前記製品を前記レセプタクルに分配する。特に、装置は、レセプタクルがないことを検出することができ、前記レセプタクルが製品の受け取り位置にない限りは前記製品を輸送しない。
【０１２０】
９−製品を分配した後、混合装置（５１）は洗浄サイクルに入る。弁は、洗浄水を吸引する位置に配置される。また、特定のサイクルにより、１回は針の内側および外側の洗浄を行い、別のサイクルでは最終製品出口を洗浄することができる。
【図１】
2019508189.tif 000003
【図２】
2019508189.tif 000004
【図３】
2019508189.tif 000005
【図４】
2019508189.tif 000006
【図５】
2019508189.tif 000007
【図６】
2019508189.tif 000008
【図７】
2019508189.tif 000009
【図８】
2019508189.tif 000010
【図９】
2019508189.tif 000011
【図１０】
2019508189.tif 000012
【図１１】
2019508189.tif 000013
【図１２】
2019508189.tif 000014
【図１３】
2019508189.tif 000015
【図１４】
2019508189.tif 000016
【図１５】
2019508189.tif 000017
【図１６】
2019508189.tif 000018
【図１７】
2019508189.tif 000019
【図１８】
2019508189.tif 000020
【国際調査報告】
2019508189.tif 000021
2019508189.tif 000022
2019508189.tif 000023
2019508189.tif 000024
2019508189.tif 000025
2019508189.tif 000026
2019508189.tif 000027
2019508189.tif 000028
2019508189.tif 000029
2019508189.tif 000030